(57)【要約】      （修正有）【課題】脱臭触媒を寝かせることで、収納スペースをコンパクトにできる便座装置を提供する。【解決手段】便座装置は、外部の空気を吸引する吸気手段５５１と、吸気手段によって吸引された空気が通過する集塵フィルタ５７１と、集塵フィルタから吸引した空気が通過する脱臭触媒５７３、とを有する脱臭ユニットと、脱臭ユニットを収納するケース部と、を備え、脱臭ユニットの脱臭触媒は、集塵フィルタと一体構成される。【選択図】図５
2019166279.tif 000002
【特許請求の範囲】
【請求項１】
外部の空気を吸引する吸気手段と、
前記吸気手段によって吸引された前記空気が通過する集塵フィルタと、
前記集塵フィルタから吸引した空気が通過する脱臭触媒と、を有する脱臭ユニットと、
前記脱臭ユニットを収納するケース部と、を備え、
前記脱臭ユニットの前記脱臭触媒は、前記集塵フィルタと一体構成されることを特徴とする便座装置。
【請求項２】
前記集塵フィルタは、前記ケース部から着脱自在とされることを特徴とする請求項１記載の便座装置。
【請求項３】
前記脱臭触媒は、前記集塵フィルタに対して上方から着脱可能な構成とする請求項１記載の便座装置。
【発明の詳細な説明】
【技術分野】
【０００１】
本発明は、便座装置に関する。
【背景技術】
【０００２】
従来、便器の上部に設けられる便座装置において、たとえば排泄時に生じた便器内の臭気をファンなどの送風部で吸引し、吸引した臭気を脱臭触媒に通し脱臭して便座装置外へ排出する技術が知られている（先行文献１）。
この先行文献１では、送風部の上流側にフィルタが設けられ、埃や紙粉などの粉塵が送風部に吸引されることを防止しており、吸気部と排気部には脱臭触媒を配置している。
【先行技術文献】
【特許文献】
【０００３】
【特許文献１】特開２００２−２７５９８７号公報
【発明の概要】
【発明が解決しようとする課題】
【０００４】
近年、便座装置には、高さ方向でのコンパクト化が求められているが、吸引した臭気を脱臭触媒に通す必要があるため、脱臭触媒を立てた状態で設置している。そのため、収納スペースを大きくする必要がある問題が発生する。本発明は、この課題に基づき、脱臭触媒を寝かせることで、収納スペースをコンパクトにできる便座装置を提供することを目的とする。
【課題を解決するための手段】
【０００５】
第１の発明は、外部の空気を吸引する吸気手段と、前記吸気手段によって吸引された前記空気が通過する集塵フィルタと、前記集塵フィルタから吸引した空気が通過する脱臭触媒、とを有する脱臭ユニットと、前記脱臭ユニットを収納するケース部と、を備え、前記脱臭ユニットの前記脱臭触媒は、前記集塵フィルタと一体構成されることを特徴とする便座装置である。
【０００６】
この便座装置によれば、集塵フィルタと脱臭触媒が一体となり、脱臭触媒を別体で設ける必要がないため、高さ方向でのコンパクト化を達成できる。
【０００７】
第２の発明は、第１の発明において、前記脱臭触媒は、前記集塵フィルタに対して上方から着脱可能な構成とする便座装置である。
【０００８】
この便座装置によれば、使用者は１回の清掃作業で、脱臭触媒の交換と、集塵フィルタをきれいにすることが可能となり、よってメンテナンスの負担を軽減することができる。
【０００９】
第３の発明は、第１の発明において、前記脱臭触媒は、前記集塵フィルタに対して上方から着脱可能な構成とする便座装置である。
【００１０】
この便座装置によれば、脱臭触媒が上下方向で着脱できる構造となっており、集塵フィルタを取外す場合でも、脱臭触媒が集塵フィルタから脱落することがない。また、清掃が不要な場合でも脱臭触媒のみ交換ができる。
【発明の効果】
【００１１】
本発明の態様によれば、脱臭触媒を寝かせることで、収納スペースをコンパクトにできる便座装置を提供できる。
【図面の簡単な説明】
【００１２】
【図１】実施形態に係わる便座装置が配置されたトイレルームを模式的に示す斜視図である。
【図２】実施形態に係わる便座装置の模式分解斜視図である。
【図３】実施形態に係わる便座装置のケースカバーがない状態を示す模式分解斜視図である。
【図４】実施形態に係わるケースカバーに加え、脱臭装置がない状態を示す模式分解斜視図である。
【図５】実施形態に係わる図３のＶ―Ｖ線図である。
【図６】実施形態に係わるケース部から取り外された集塵フィルタを上方から見たときの斜視図である。
【図７】実施形態に係わる集塵フィルタを下方から見たときの斜視図である。
【図８】実施形態に係わる集塵フィルタから取り外された脱臭触媒を上方から見たときの斜視図である。
【図９】実施形態に係わる集塵フィルタから取り外される前の脱臭触媒を上方から見たときの斜視図である。
【発明を実施するための形態】
【００１３】
以下、添付図面を参照して、本願の開示する便座装置の実施形態を詳細に説明する。なお、以下に示す実施形態によりこの発明が限定されるものではない。
【００１４】
図１は、実施形態に係る便座装置が設置されたトイレルームを模式的に示す斜視図である。図１に示すように、トイレルーム６００には、トイレ装置１が設置される。トイレ装置１は、洋式大便器（以下「便器」と記載する）５と、貯水タンク３と、便座装置７とを備える。  
【００１５】
なお、本願明細書においては、便器５の前に立った使用者からみて手前側を「前方」とし、奥側を「後方」とする。また、便器５の前に立った使用者からみて右側を「右側方」とし、左側を「左側方」とする。また、便器５の前に立った使用者からみて上方を「上方」とし、下方を「下方」とする。
【００１６】
便器５は、貯水タンク３に貯留された水で洗浄を行うロータンク式であるが、これに限定されるものではなく、たとえばフラッシュバルブ式であってもよい。また、図１に示す例では、床置き式の便器５を示したが、これに限られず、壁掛け式などであってもよい。
便座装置７は、便器５の上部に設けられる。
【００１７】
図２は、便座装置７の模式分解斜視図である。図２に示すように、便座装置７は、本体部５０と、便座３０と、便蓋１０とを備える。便座３０および便蓋１０はともに、本体部５０に開閉可能に取り付けられる。
【００１８】
本体部５０は、ケース部５１と、ノズルユニット５３と、集塵フィルタユニット５７と、後述する脱臭装置５５（図３参照）と、を備える。
ケース部５１は、ケースプレート５１ａと、ケースプレート５１ａに取り付けられるケースカバー５１ｂとを備え、ノズルユニット５３や脱臭装置５５（図３参照）などを収容する。
【００１９】
ノズルユニット５３は、洗浄ノズル５３ａを備える。洗浄ノズル５３ａは、図示しない電動モータなどの駆動源の駆動により、ケース部５１に対して進退可能に構成される。また、洗浄ノズル５１ａは、図示しない水道管などの水源に接続される。そして、洗浄ノズル５１ａは、ケース部５１に対して進出した位置にあるときに、水源からの水を使用者の身体へ噴出させて局部を洗浄する。
【００２０】
このように、便座装置７は、使用者の局部を洗浄する機能を有する衛生洗浄装置である。なお、上記では、便座装置７は、衛生洗浄機能を有するようにしたが、これに限られず、衛生洗浄機能を有していなくてもよい。また、便座装置７は、便座３０に座った使用者のおしりなどに温風を吹き付けて乾燥させる乾燥機能や、便座３０の着座面を適温に温める便座暖房機能などを有していてもよい。
【００２１】
集塵フィルタユニット５７は、脱臭装置５５（図３参照）用の部材である。
集塵フィルタユニット５７は、ケース部５１に対してケース部５１の側面側から中心方向へ向けて着脱自在とされる。具体的には、ケース部５１の右側面側から、左右方向の中心線Ｃの方向へ向けて着脱自在とされる。なお、集塵フィルタユニット５７の構成については、後に詳しく説明する。
【００２２】
以下、図３〜５を用いて脱臭装置５５について詳しく説明する。
図３〜５は、便座装置７のケースカバー５１ｂを取り除いて示す模式平面図である。また、図３では、図の簡略化のため、ノズルユニット５３など一部の部品の図示を省略した。また、図４は、図３で取り除かれたケースカバー５１ｂに加え、脱臭装置５５も取り除かれた便座装置７を示す模式平面図である。また、図５は、図３のＶ−Ｖ線図である。
【００２３】
図３に示すように、ケース部５１のケースプレート５１ａは、便器５のボウル部５１１の後方に設けられる。詳しくは、ケースプレート５１ａは、平面視において、ボウル部５１１の後方側の内周縁の一部と重なるようにして、便器５に設けられる。
【００２４】
脱臭装置５５は、外部の空気を吸引して脱臭する装置である。なお、外部の空気とは、トイレルーム６００内の空気とボウル部５１１内の空気である。
【００２５】
脱臭装置５５は、ケース部５１に収容される。具体的には、脱臭装置５５は、平面視において、ケース部５１の中心線Ｃよりも側面側、正確には右側面側に寄せて配置され、ケースプレート５１ａに取り付けられる。
【００２６】
脱臭装置５５は、外部の空気を吸引する吸気手段５５１と、吸気路５５３と、排気路５５７とを備える。
【００２７】
吸気手段５５１は、シロッコファンである。
吸気手段５５１としては、たとえばシロッコファンを用いることができるが、これに限定されるものではなく、ターボファンなどその種類のファンであってもよい。なお、吸気手段５５１は、送風部の一例である。
【００２８】
吸気路５５３は、吸気手段５５１の吸気側に接続され、吸気手段５５１によって吸引される空気が流れる。
【００２９】
図４，５に示すように、ケースプレート５１ａの底面５１ａ１には、開口部５５５ａが形成される。開口部５５５ａは、便器５のボウル部５１１を臨む位置に形成される開口である。
吸気路５５３は、開口部５５５ａと対応する位置に、吸気口５５５が形成される。吸気口５５５は、開口部５５５ａよりも上方に離間して位置する。これにより、吸気口５５５と、開口部５５５ａとの間には、隙間５５９が形成される。
集塵フィルタユニット５７は、隙間５５９に挿入され、ケース部５１に取り付けられる。
従って、図５に示すように、吸気路５５３は、下方にあるボウル部５１１内の空間と、開口部５５５ａ、隙間５５９に配置された集塵フィルタユニット５７および吸気口５５５を介して連通することとなる。
【００３０】
排気路５５７は、図３、５に示すように、吸気手段５５１の排気側に接続され、吸気手段５５１から送出された空気（排気）が流れる。
【００３１】
次に、図６〜９を用いて、集塵フィルタユニット５７について、詳しく説明する。
図６は、ケース部５１から取り外された集塵フィルタユニット５７を上方から見たときの斜視図であり、図７は、集塵フィルタユニット５７を下方から見たときの斜視図であり、図８は、集塵フィルタ５７１から取り外された脱臭触媒５７３を上方から見たときの斜視図であり、図９は、集塵フィルタ５７１から取り外される前の脱臭触媒５７３を上方から見たときの斜視図である。
【００３２】
図６〜８に示すように、集塵フィルタユニット５７は、脱臭触媒５７３と、脱臭触媒５７３を覆う、フィルタ５７１３１が設けられた集塵フィルタ５７１と、有する。すなわち、脱臭触媒５７３は、集塵フィルタ５７１と一体で構成される。
【００３３】
これにより、本実施形態に係る便座装置７にあっては、脱臭触媒５７３を別体で設ける必要がないため、高さ方向でのコンパクト化を達成することができる。
【００３４】
図５、８、９に示すように、脱臭触媒５７３は、平板状の部材であるが、図示の形状は例示であって限定されるものではない。脱臭触媒５７３は、たとえば活性炭を使った触媒を利用して脱臭する部材を用いることができる。たとえば、吸い込んだ空気に含まれる悪臭成分などを捕集又は分解する。「悪臭成分」は、たとえば、アンモニアやトリメチルアミンなどの成分であるが、これに限定されるものではない。
【００３５】
集塵フィルタ５７１は、粉塵を捕集する。そのため、使用者は、集塵フィルタ５７１をケース部５１から取り外し、フィルタ５７１３１に付着した粉塵を洗い流すフィルタ洗浄などのメンテナンスを行う。本実施形態においては、上記のように、フィルタ５７１３１と脱臭触媒５７３が一つの部材たる集塵フィルタユニット５７に形成されるため、使用者は１回の清掃作業で、脱臭触媒５７３の交換と、集塵フィルタ５７１をきれいにすることが可能となり、よってメンテナンスの負担を軽減することができる。
【００３６】
これにより、本実施形態に係る便座装置７にあっては、脱臭触媒５７３が上方から着脱できる構造となっており、集塵フィルタ５７１を取外す場合でも、脱臭触媒５７３が集塵フィルタ５７１から脱落することがない。また、清掃が不要な場合でも脱臭触媒５７３のみ交換ができる。
【００３７】
集塵フィルタ５７１について、さらに詳しく説明すると、集塵フィルタ５７１は、図４，５に示すように、集塵フィルタ５７１がケース部５１に取り付けられた状態において、吸気口５５５と対応するように位置される。
【００３８】
従って、吸気手段５５１が作動して空気を吸引すると、空気の流れは、矢印Ａ１（図５参照）で示すように、便器のボウル部内の空気が、フィルタ５７１３１を通過する。これにより、集塵フィルタ５７１は、通過する空気に含まれる粉塵などを捕集することができ、よって下流側に配置される吸気手段５５１に粉塵が吸引されることを防止することができる。
【００３９】
続いて、フィルタ５７１３１を通過した空気は、脱臭触媒５７３を通り、吸気口５５５から吸気路を経て、吸気手段に吸引される。そして、吸気手段５５１の排気側から送出された空気は、図３に矢印Ａ２で示すように、フィルタ５７１３１部で脱臭された後、排気路５５７を介して便座装置７の外部へ排出される。
【００４０】
図６に示すように、集塵フィルタ５７１は、第１のケース５７１１と、第２のケース５７１３と、を有する。
第１のケース５７１１は、図６〜９に示すように、係止爪５７１１１と、取手部５７１１３と、壁部５７１１５と、ストッパ５７１１７と、を備える。
【００４１】
取手部５７１１３は、集塵フィルタ５７１がケース部５１に取り付けられた状態で、ケース部５１の側面側、具体的には右側面側に近い周縁に沿って形成される。また、取手部５７１１３は、壁部５７１１５と同様に、集塵フィルタ５７１の下面側に突出するように形成される。これにより、使用者は、取手部５７１１３をつまむことで、集塵フィルタ５７１をケース部５１に対して容易に着脱することが可能になる。
【００４２】
第１のケース５７１１の係止爪５７１１１は、集塵フィルタ５７１の壁部５７１１５の面に形成される。係止爪５７１１１としては、たとえばスナップフィットを用いることができるが、これに限定されるものではない。
【００４３】
一方、ケース部５１は、集塵フィルタ５７１が取り付けられた状態において、集塵フィルタ５７１の両側面に、係止爪５７１１１と係止可能な係止形状が形成される。
【００４４】
これにより、係止爪５７１１１は、集塵フィルタ５７１がケース部５１に取り付けられた状態において、係止することから、集塵フィルタ５７１がケース部５１から抜け落ちたりすることを防止することができる。
【００４５】
ストッパ部５７１１７は、集塵フィルタ５７１の下面側の周縁のうち、取手部５７１１３に近接した位置に形成される。一方、ケース部５１には、集塵フィルタ５７１が取り付けられた状態において、ストッパ部５７１１７が当接する位置に当接形状が形成される。
【００４６】
これにより、集塵フィルタ５７１は、ケース部５１に取り付けられる際、ストッパ部５７１１７が当接部と当接することで、それ以上の移動が規制されることとなる。これにより、集塵フィルタ５７１がケース部５１に対して奥まで入り込んでしまうことを防止することができる。
【００４７】
第２のケース５７１３は、図６〜９に示すように、フィルタ５７１３１と、壁部５７１３３と、壁部５７１３３ａと、係合爪５７１３５と、係止爪５７１３５ａと、固定爪５７１３７と、ヒンジ５７１３９と、を備え、上方から脱臭触媒５７３を着脱自在である。
【００４８】
第２のケース５７１３のフィルタ５７１３１は、平板状の部材である。また、図７、８に示すように、フィルタ５７１３１は、メッシュ形状のフィルタである。
【００４９】
壁部５７１３３は、図９に示すように、集塵フィルタ５７１に脱臭触媒５７３が取り付けられた状態で、脱臭触媒５７３の下方の外周面を覆う外周面のことである。これにより、脱臭触媒５７３を取り付けることが可能となり、取り付け後、脱臭触媒５７３が外部に脱落することを防止できる。
【００５０】
壁部５７１３３ａは、図６に示すように、集塵フィルタ５７１に脱臭触媒５７３が取り付けられた状態で、脱臭触媒５７３の上方の外周面を覆う外周面のことである。これにより、脱臭触媒５７３が外部に脱落することを防止できる。
【００５１】
第２のケース５７１３の係合爪５７１３５は、集塵フィルタ５７１に脱臭触媒５７３が取り付けられた状態で覆われている壁部５７１３３ａの面に形成される。係合爪５７１３５としては、爪形状としているが、これに限定されるものではない。
【００５２】
係止爪５７１３５ａは、集塵フィルタ５７１に脱臭触媒５７３が取り付けられた状態で覆われている係合爪５７１３５と対応する位置の壁部５７１３３の面に形成される。
【００５３】
ヒンジ５７１３９は、図７〜９に示すように、集塵フィルタ５７１に脱臭触媒５７３が取り付けられた状態で、係止めを容易にできるように壁部５７１３３と壁部５７１３３ａを繋ぎ合わせるためのものである。また、ヒンジ５７１３９は、集塵フィルタ５７１に脱臭触媒５７３が取り付けられた状態で覆われている壁部５７１３３の面に形成される。これにより、別体に部品を増やすことなく一つの部材である集塵フィルタ５７１に形成される。
【００５４】
固定爪５７１３７は、集塵フィルタ５７１に脱臭触媒５７３が取り付けられた状態で覆われている壁部５７１３３の面に形成される。たとえば、係止爪５７１３５ａに係合爪５７１３５を係止する場合に、係止爪５７１３５ａが係合爪５７１３５から容易に外れることを防止するためのものである。
【００５５】
これにより、使用者は、集塵フィルタ５７１に脱臭触媒５７３が取り付けられた状態の脱臭触媒を交換でき、係合爪５７１３５を係止爪５７１３５ａから外すことで、フィルタ５７１３１上にある脱臭触媒５７３を集塵フィルタ５７１に対して上方から着脱することが可能になる。
【００５６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５７】
１          トイレ装置
３          貯水タンク
５          便器
７          便座装置
１０          便蓋
３０          便座
５０          本体部
５１          ケース部
５１１        ボウル部
５３          ノズルユニット
５５          脱臭装置
５５１        吸気手段
５５３        吸気路
５５５        吸気口
５５５ａ      開口部
５５７        排気路
５５９        隙間
５７          集塵フィルタユニット
５７１        集塵フィルタ
５７１１      第１のケース
５７１１１    係止爪
５７１１３    取手部
５７１１５    壁部
５７１１７    ストッパ
５７１３      第２のケース
５７１３１    フィルタ
５７１３３    壁部
５７１３３ａ  壁部
５７１３５    係合爪
５７１３５ａ  係止爪
５７１３７    固定爪
５７１３９    ヒンジ
５７３        脱臭触媒
６００        トイレルーム
【図１】
2019166279.tif 000003
【図２】
2019166279.tif 000004
【図３】
2019166279.tif 000005
【図４】
2019166279.tif 000006
【図５】
2019166279.tif 000007
【図６】
2019166279.tif 000008
【図７】
2019166279.tif 000009
【図８】
2019166279.tif 000010
【図９】
2019166279.tif 000011